(57)【要約】【課題】認証に利用可能な適切な生体情報を確実に取得し、かつ利用者の負担を増加させることなく、利用者のすりかわりを防止する。【解決手段】顔画像取得装置１０は、指紋取得部４０により利用者の指紋データを仮に取得し、この指紋データが指紋認証に利用可能な情報であるか否かを判定し、指紋認証に利用可能な情報であると判定されたときには、認証用指紋データとして保存する。また利用者がタッチパネル４１の撮影ボタンにタッチすることにより、撮影ボタンの下に配置されている指紋取得部５０により利用者の指紋データが取得され、また静止顔画像が取得される。さらに、この撮影ボタンのタッチにより取得された指紋データと、認証用指紋データとが一致するときには、静止顔画像データが保存される。一致しないときには、静止顔画像データは消去される。【選択図】図１
2007093843.tif 000002
【特許請求の範囲】
【請求項１】
利用者の生体情報を仮に取得し、
前記生体情報が、生体認証に利用可能な情報であるか否かを判定し、
前記生体情報が生体認証に利用可能な情報であると判定されたときには、前記生体情報を認証用生体情報として保存し、
前記利用者の顔画像取得用の入力動作により、該利用者の生体情報を取得し、
前記入力動作により取得された生体情報と前記認証用生体情報とが一致するときには、前記利用者の顔画像を取得し、該顔画像を保存することを特徴とする顔画像取得方法。
【請求項２】
利用者の生体情報を仮に取得する生体情報仮取得手段と、
該生体情報仮取得手段で取得された前記生体情報が、生体認証に利用可能な情報であるか否かを判定する生体情報判定手段と、
該判定手段で前記生体情報が生体認証に利用可能な情報であると判定されたときには、前記生体情報を認証用生体情報として保存する生体情報保存手段と、
前記利用者の顔画像取得用の入力動作により、前記利用者の生体情報を取得する入力手段と、
前記入力動作により取得された生体情報と前記認証用生体情報とが一致するときには、前記利用者の顔画像を取得し、該顔画像を保存する顔画像取得・保存手段とを備えたことを特徴とする顔画像取得装置。
【請求項３】
前記生体情報が指紋であり、前記入力手段が、指紋取得機能を備えていることを特徴とする請求項２記載の顔画像取得装置。
【請求項４】
前記生体情報が声紋であり、前記入力手段が、声紋取得機能を備えていることを特徴とする請求項２記載の顔画像取得装置。
【発明の詳細な説明】
【技術分野】
【０００１】
本発明は、主として身分証明書や磁気カードなどの個人に帰属する書札等に添付する顔写真を撮影する顔画像取得装置に関するものであり、より詳細には利用者の顔写真の撮影に加え、利用者の手に属する生体情報を取得する機能を有する顔画像取得装置に関するものである。
【背景技術】
【０００２】
現在、街頭には、無人で利用者の顔写真を撮影する顔画像取得装置が設置されている。このような顔画像取得装置は、撮影した顔写真を普通紙やシールなどの紙に印刷して利用者に提供する。
【０００３】
また、顔写真の撮影とともに、指紋などの生体情報を取得可能な顔画像取得装置も提案されている（特許文献１参照）。この特許文献１では、まず顔写真を撮影し、その後で生体情報を取得している。顔写真撮影と生体情報を取得する間に、利用者がすりかわった場合には、その記録が残るように、生体情報の取得の前後に、利用者の顔を含む監視写真を撮影している。しかし、このように監視写真を撮影することは、すりかわりを抑制する効果はあるが、生体情報の取得および顔写真撮影の現場において、利用者のすりかわりを防止することは困難である。
【０００４】
利用者のすりかわりを防止するために、顔写真の撮影と生体情報の取得を同時に行う顔画像取得装置も考えられている。しかし、例えば生体情報として指紋を取得する場合であれば、指紋の取得に慣れていない利用者にとっては、顔写真の撮影と同時に、認証に利用可能な適切な指紋を取得することは簡単ではない。また指紋の取得に失敗した場合に、指紋の再取得を容認すれば、すりかわりを阻止することはできない。
【０００５】
一方、顔写真撮影の前に生体情報を取得し、顔写真撮影の際には、その生体情報を再度取得して本人であることを確認する顔画像取得装置も提案されている（特許文献２参照）。
【特許文献１】特開２００５−１９６３８８号公報
【特許文献２】特開２００５−１４１４２９号公報
【発明の開示】
【発明が解決しようとする課題】
【０００６】
しかしながら、上記特許文献２に記載されている顔画像取得装置では、利用者のすりかわりは防止できるものの、顔写真を撮影する際に、再度生体情報を取得しなければならず、利用者の負担が増加するという問題がある。
【０００７】
本発明は、上記の問題に鑑みてなされたものであり、認証に利用可能な適切な生体情報を確実に取得し、かつ利用者の負担を増加させることなく、利用者のすりかわりを防止することのできる顔画像取得装置を提供することを目的とするものである。
【課題を解決するための手段】
【０００８】
本発明の顔画像取得方法は、利用者の生体情報を仮に取得し、
前記生体情報が、生体認証に利用可能な情報であるか否かを判定し、
前記生体情報が生体認証に利用可能な情報であると判定されたときには、前記生体情報を認証用生体情報として保存し、
前記利用者の顔画像取得用の入力動作により、該利用者の生体情報を取得し、
前記入力動作により取得された生体情報と前記認証用生体情報とが一致するときには、前記利用者の顔画像を取得し、該顔画像を保存することを特徴とするものである。
【０００９】
また、本発明の顔画像取得装置は、利用者の生体情報を仮に取得する生体情報仮取得手段と、
該生体情報仮取得手段で取得された前記生体情報が、生体認証に利用可能な情報であるか否かを判定する生体情報判定手段と、
該判定手段で前記生体情報が生体認証に利用可能な情報であると判定されたときには、前記生体情報を認証用生体情報として保存する生体情報保存手段と、
前記利用者の顔画像取得用の入力動作により、前記利用者の生体情報を取得する入力手段と、
前記入力動作により取得された生体情報と前記認証用生体情報とが一致するときには、前記利用者の顔画像を取得し、該顔画像を保存する顔画像取得・保存手段とを備えたことを特徴とするものである。
【００１０】
なお、ここで「生体情報」とは、指紋または指静脈パターン等の指に属する生体情報や、嘗紋、嘗形または手のひら静脈パターン等の手に属する生体情報や、声紋等である。
【００１１】
前記生体情報が指紋であれば、前記入力手段としては、指紋取得機能を備えている指定手段、例えば指紋取得機能付き押圧ボタンあるいはタッチパネル等を用いることができる。
【００１２】
前記生体情報が声紋であれば、前記顔画像指定手段としては、声紋取得機能を備えている指定手段、例えば声紋取得機能付き音声認識装置を用いることができる。
【発明の効果】
【００１３】
本発明の顔画像取得方法および装置では、利用者の生体情報を仮に取得し、前記生体情報が、生体認証に利用可能な情報であるか否かを判定し、前記生体情報が生体認証に利用可能な情報であると判定されたときには、前記生体情報を認証用生体情報として保存し、
前記利用者の顔画像取得用の入力動作により、該利用者の生体情報を取得し、前記入力動作により取得された生体情報と前記認証用生体情報とが一致するときには、前記利用者の顔画像を取得して、該顔画像を保存するので、生体認証に利用可能な生体情報を認証用生体情報として確実に保存でき、かつ顔画像を取得する際には、顔画像取得用の入力動作を行うのみで、顔画像の取得と、生体認証とが可能となり、利用者の負担を増加させることなく、利用者のすりかわりを防止することができる。
【発明を実施するための最良の形態】
【００１４】
以下、図面を参照して本発明の第１の実施形態である顔画像取得装置について説明する。図１は本発明の第１の実施の形態である顔画像取得装置１０の概略構成図である。本顔画像取得装置１０は、全体的に直方体の筐体を有し、大きさは高さ２．０ｍ、幅１．４ｍ程度である。一例として、図２に装置１０の外観を示す。
【００１５】
図１に示すように、装置１０は幅７５ｃｍ程度の客室１２を含み、利用者１４は客室１２に設けられた椅子１６に座って撮影を行う。
【００１６】
顔画像取得装置１０は客室１２以外の部分が上段１８と、中段２０と、机部２１を有する下段２２とに分かれている。中段２０にはデジタルカメラ２４およびコントローラ３３が設置されている。コントローラ３３は、デジタルカメラ２４の制御を含む、顔画像取得装置１０全体の動作を制御するものである。デジタルカメラ２４のレンズの画角αは広く、客室１２の背面壁２７の高さ６０ｃｍ〜１７０ｃｍ程度の範囲をカバーする。したがって、利用者１４が椅子１６に座った時、少なくとも頭部１５および胸部１７を確実にカバーでき、利用者１４の身長に依存しない撮影が可能である。
【００１７】
上段１８には照明装置２５、ＣＲＴディスプレイ２６およびスピーカ２９が配置されている。照明装置２５、ＣＲＴディスプレイ２６およびスピーカ２９はコントローラ３３に接続されている。
【００１８】
ＣＲＴディスプレイ２６は、コントローラ３３から出力される動画像および静止画像を表示可能である。ディスプレイ２６の表示画面３０は下方向に向けられていて、その表示内容は、上段１８と中段２０との間の中空な境界面３２を通して、中段２０のハーフミラー３４に投影される。
【００１９】
カメラ２４と利用者１４との間に配置された傾斜したハーフミラー３４によれば、ディスプレイ２６および客室１２からの光の一部は相互に反射される。一方、客室１２からの光の一部は透過してカメラ２４に向かうが、カメラ２４側からの光は遮断され、客室１２に届かない。したがって、利用者１４は、ガラス窓３５を通してハーフミラー３４上の投影内容を確認できるが、カメラ２４は利用者１４からは見えない。しかし、客室１２からハーフミラー３４を透過してカメラ２４に到達する光によって、カメラ２４は利用者１４の画像を撮影可能である。
【００２０】
照明装置２５は撮影に十分な明るさを保つために客室１２を照らす照明であり、スピーカ２９は利用者１４に対して操作指示を音声により伝える装置である。
【００２１】
下段２２には、指紋取得部４０と、操作用のタッチパネル４１と、カードライタ４２と、プリンタ４３と、モデム４４とが設けられている。指紋取得部４０と、操作用のタッチパネル４１と、カードライタ４２と、プリンタ４３と、モデム４４とはコントローラ３３に接続されている。なお、指紋取得部４０と、操作用のタッチパネル４１と、カードライタ４２とは、机部２１に収容されている。
【００２２】
指紋取得部４０は、半導体方式の指紋取得部であり、また所定の面積以上の領域に指が接触した場合に、自動的に指紋のデジタルデータを取得するように構成されている。
【００２３】
タッチパネル４１は、利用者１４の操作に基づく信号をコントローラ３３に出力する装置である。タッチパネル４１は、利用者の名前や、住民票コード番号あるいはパスポート番号等の個人情報を入力する情報入力画面と、利用者による操作を入力する操作入力画面とを切り換えて表示可能である。情報入力画面では、キーボードが表示され、操作入力画面では、図３に示すように顔写真の撮影を指示する撮影ボタン４８と、撮影された顔写真の中から後述する記録媒体に書き込む顔写真を選択する選択ボタン４９とが表示される。なお、タッチパネル４１の撮影ボタン４８が表示されている部位には、半導体方式の指紋取得部５０が組み込まれ、操作入力画面が表示されている場合のみ、利用者が撮影ボタン４８にタッチしたときに、自動的に指紋を取得する。
【００２４】
カードライタ４２は、利用者１４の持参する記録媒体５１用の挿入口５２を有し、挿入された媒体に書き込み可能な装置である。記録媒体５１としては、フレキシブルディスク、スマートメディア（登録商標）、コンパクトフラッシュ（登録商標）、メモリースティック（登録商標）、ＳＤ（Ｓｅｃｕｒｅ  Ｄｉｇｉｔａｌ）メモリカード（登録商標）、ｘＤ（Ｅｘｔｒｅｍｅ  Ｄｉｇｉｔａｌ）ピクチャーカード（登録商標）等を用いることができる。
【００２５】
カードライタ４２は、カメラ２４によって撮影された顔のデジタル画像データおよび指紋取得部４０により取得された左右の人差し指の指紋データを、記録媒体５１に書き込む。
【００２６】
プリンタ４３は、カメラ２４の撮影した画像を写真としてプリント可能である。プリントされた写真は、排出口５３から排出される。
【００２７】
モデム４４は、利用者が希望する場合には、利用者の顔のデジタル画像データを通信回線６２を介して所定の拠点、例えば管理センター６６へ転送する転送手段である。
【００２８】
図１では図示の便宜上、装置１０の上段１８、中段２０および下段２２の内部を可視化して示しているが、実際は、指紋取得部４０、タッチパネル４１、カードライタ４２の挿入口５２およびプリンタ４３の排出口５３以外は、壁によって隠されていて、利用者１４からは見えない。また、下段２２は、実際はさらに、料金投入口や返金口などの機構も備えているが、これらは図示を省略している。
【００２９】
装置１０の側壁７１には、利用者１４を継続的に撮影する監視用カメラ７４が備えられている。カメラ７４としては、例えば赤外線ＬＥＤ（Ｌｉｇｈｔ−Ｅｍｉｔｔｉｎｇ  Ｄｉｏｄｅ）カメラを用いるとよい。監視用カメラ７４は、図１には図示しないものの、モデム４４を介して通信回線６２に接続され、所定の遠隔拠点、例えば管理センター６６に接続されている。
【００３０】
図４は図１のデジタルカメラ２４およびコントローラ３３の機能ブロック図である。光学レンズ８０は被写体１４からの光を受けて被写体像を撮像部８１の受光面へ結像する。撮像部８１としては、例えば、ＣＣＤ（Ｃｈａｒｇｅ  Ｃｏｕｐｌｅｄ  Ｄｅｖｉｃｅ）を使用可能である。撮像部８１で光電変換された画像信号はビデオ出力部８２に出力される。
【００３１】
ビデオ出力部８２は、通常、撮像部８１からの画像信号をそのまま出力端子を介してＣＲＴディスプレイ２６に送る。したがって、利用者１４の動画像は、カメラ２４に取り込まれて出力され、ＣＲＴ２６に表示され、ハーフミラー３４によって反射されて利用者１４へ帰還する。このように動画像をそのまま利用者へ帰還させることを、以下、ビデオスルーと称する。利用者１４は、撮影前は、ビデオスルーにより、帰還した自己の動画像をリアルタイムに見ることができる。
【００３２】
撮像部８１から出力される画像信号は、Ａ／Ｄ変換器（Ａｎａｌｏｇｕｅ／Ｄｉｇｉｔａｌ  Ｃｏｎｖｅｒｔｅｒ；  ＡＤＣ）８３にも出力可能である。顔画像の撮影時には、Ａ／Ｄ変換器８３は、アナログ信号である画像信号をデジタル画像信号に変換し、メモリ８４へ保存する。
【００３３】
ＣＰＵ（Ｃｅｎｔｒａｌ  Ｐｒｏｃｅｓｓｉｎｇ  Ｕｎｉｔ）８５は、ＡＤＣ８３、メモリ８４およびＤ／Ａ変換機（Ｄｉｇｉｔａｌ／Ａｎａｌｏｇｕｅ  Ｃｏｎｖｅｒｔｅｒ；  ＤＡＣ）８６に接続され、これらのユニットを制御する。撮影時には、ＣＰＵ８５は、ＡＤＣ８３へ変換命令を発信し、動画像信号を１フレーム単位でＡ／Ｄ変換させる。ＣＰＵ８５は、デジタル化されメモリ８４に記録されたデジタル画像信号を取り込み、様々な画像処理を行って、メモリ８４に再格納することが可能である。
【００３４】
ＣＰＵ８５は、デジタルカメラ２４で撮影された利用者１４の顔画像データに、タッチパネル４１から入力された個人情報データ、例えば、利用者の名前や、住民票コード番号あるいはパスポート番号等を対応させる。また、ＣＰＵ８５は、デジタル画像データに、認証用指紋データおよび本顔画像取得装置１０の固有識別番号および撮影日時データも対応させる。
【００３５】
対応のさせ方はあらゆる方法で行ってよく、例えば個人情報データを用いて顔画像データに名前を付けることができる。あるいはテキストデータをデジタル画像データのヘッダ部分に記録して、一体的に扱い、メモリ８４に格納してもよい。このようにしてデジタル画像データに対応付けられた個人情報データによって、「誰に帰属するデータか」の識別が可能なデジタル画像データを作成することができる。
【００３６】
ＣＰＵ８５は、画像処理を行ったデジタル静止画像を出力し、ＤＡＣ８６によりＤ／Ａ変換を行ってビデオ出力部８２に送ることができる。このとき、ビデオ出力部８２を制御し、ビデオスルーされているアナログ動画像信号に代えて、アナログ化された静止画像信号出力させることができる。これにより、撮影され、画像処理が施された静止画像を利用者に示すことができる。また、アナログ静止画像信号および動画像信号はカラーおよび白黒のいずれの形式でも出力することができる。
【００３７】
ＣＰＵ８５は、画像処理を施した撮影画像を自由にレイアウトしてＣＲＴ２６に表示させることができる。また、画像の出力とともに、メモリ８４に予め用意された複数の静止画像をコマ送りに表示して簡単なアニメーションをＣＲＴ２６に表示させることもできる。さらに、ビデオ出力部８２を介した自由なグラフィック出力が可能であり、利用者１４に対するメッセージをＣＲＴ２６に表示させることができる。
【００３８】
ＣＰＵ８５はスピーカ２９にも接続され、予め用意された音声信号をスピーカ２９へ出力し、各動作に適合した操作指示を利用者１４に対して音声で指示可能である。
【００３９】
ＣＰＵ８５はプリンタ４３およびタッチパネル４１にも接続されている。画像処理を施された静止画像は、ＣＰＵ８５から、プリント命令とともにプリンタ４３へ出力することにより、写真としてプリント可能である。また、ＣＰＵ８５はタッチパネル４１からの操作命令を受信し、利用者１４の操作に従った処理を行う。
【００４０】
ＣＰＵ８５はさらに、ＲＯＭ（Ｒｅａｄ  Ｏｎｌｙ  Ｍｅｍｏｒｙ）８７に接続されている。ＲＯＭ８７は、少なくとも、複数の画像処理プログラムと、証明写真の要求仕様とを記録する。要求仕様は、少なくとも、プリントすべき写真のサイズおよび当該写真における頭部の大きさおよび位置に関する情報を含む。ＣＰＵ８５は、ＲＯＭ８７にアクセスし、各種プログラムと写真の要求仕様とを、適宜読み込み、メモリ８４から取り込んだ静止顔画像に対して、要求仕様に適合した写真を作成するための画像処理を行う。
【００４１】
このように、本発明は、デジタルカメラ２４のレンズの画角αを広くして広範な撮影範囲を確保し、利用者１４の目線合わせ作業の廃止およびカメラ２４の構造の簡素化を図っている。その一方、得られる画像は大きく、従来の撮影範囲のように証明写真用に使用可能な領域が特定されていないが、その問題は頭部検出機能によって解消している。
【００４２】
ＣＰＵ８５は、指紋取得部４０で取得された指紋データが認証に利用可能な指紋データであるか否かを判定し、認証に利用可能なデータである判定されたときには、その指紋データをメモリ８４へ認証用指紋データとして保存する。また、指紋取得部５０で取得された指紋データと認証用指紋データが一致しているか否かを判定するものである。なお、指紋認証動作および顔画像取得動作の詳細については、以下に記載するフローチャートに記載する。
【００４３】
以上のように構成された本発明による顔画像取得装置１０の動作を以下説明する。図５は本発明による顔画像取得装置１０の動作を説明するフローチャートである。本発明の動作はすべて、スピーカ２９の音声メッセージに促されて行われる。利用者１４は、まず料金を投入する（ステップ１００）。これにより写真顔画像取得装置１０が起動する。次に記録媒体５１をカードライター４２挿入口５２へ挿入する（ステップ１０１）。その後情報入力画面（キーボード）が表示されているタッチパネル４１から氏名、住民票コードなどの個人情報を入力する（ステップ１０２）。次に、指紋取得部４０において利用者の左右の人差し指それぞれから指紋のデジタルデータを仮に取得する(ステップ１０３)。コントローラ３３は、これらの指紋データから特徴点を抽出し、指紋認証に必要な特徴点が揃っているか否か、すなわちこれらの指紋データが、指紋認証に利用可能なデータであるか否かを判定する（ステップ１０４）。これらの指紋データが、指紋認証に利用可能なデータではないと判定された場合には、ステップ１０３へ戻り、利用者へ指紋デジタルデータの再取得を促す。これらの指紋データが、指紋認証に利用可能なデータであると判定された場合には、ステップ１０５へ進み、コントローラ３３のメモリ８４へこれらの指紋データを認証用指紋データとして保存する。
【００４４】
この後、デジタルカメラ２４で撮像している利用者の顔動画像を、ビデオスルーによりＣＲＴディスプレイ２６に表示する(ステップ１０６)。なおタッチパネル４１は操作入力画面に切り換えられる。利用者はＣＲＴディスプレイ２６に表示されている自身の顔画像を観察しながら、所望のタイミングで撮影ボタン４８にタッチする。（ステップ１０７）。この撮影指示動作により、撮影ボタン４８に組み込まれている指紋取得部５０が動作し、利用者の指紋データが取得される（ステップ１０８）。またデジタルカメラ２４により顔の静止画像が取得され、顔画像データとしてコントローラ３３のメモリ８４へ保存される（ステップ８７）。さらに、コントローラ３３は、この撮影指示動作により取得された指紋データの特徴点と、保存されている認証用指紋データの特徴点とを比較する（ステップ１１０）撮影指示動作により取得された指紋データの特徴点が、保存されている左右どちらの指紋データの特徴点とも一致しない場合には、メモリ８４へ保存されている顔画像データを消去（ステップ１１１）した後、ステップ１０７に戻り、利用者へ撮影ボタン４８への再タッチを促す。特徴点が一致している場合には、ステップ１１２へ進む。なお、ステップ１１１のように、一旦保存した顔画像データをすぐに消去した場合は、本発明の顔画像データを取得して、保存することには含まない。
【００４５】
ステップ１１２では、メモリ８４に顔画像データが３枚保存されているか否かを判定する。３枚保存されていない場合には、ステップ１０７へ戻り、撮影ボタンへの再タッチを促す。顔画像データが３枚保存されている場合には、ステップ１１３へ進み、３枚の顔画像データをＣＲＴディスプレイ２６に表示する。４では利用者は、選択ボタン４９により好みの顔画像データを選択する。
【００４６】
ステップ１１５では、コントローラ３３は、カードライタ４２の挿入口５２に挿入されている記録媒体５１へ、ステップ１１４で選択された顔画像データと、認証用指紋データと、利用者の名前や、住民票コード番号あるいはパスポート番号等の個人情報と、本顔画像取得装置１０の固有識別番号および撮影日時データを対応させて、書き込む。
【００４７】
なお、利用者が希望する場合には、これらのデータを通信回線６２を介して所定の拠点、例えば管理センター６６へ転送してもよいし、あるいはプリントアウトしてもよい。
【００４８】
以上の説明で明らかなように、本発明の第１の実施の形態である顔画像取得装置１０は、
利用者の指紋データを仮に取得し、この指紋データが指紋認証に利用可能な情報であるか否かを判定し、指紋認証に利用可能な情報であると判定されたときには、認証用指紋データとして保存し、また利用者がタッチパネル４１の撮影ボタン４８をタッチすることにより、利用者の指紋データが取得され、静止顔画像データが取得され、さらにこの撮影ボタン４８のタッチにより取得された指紋データと認証用指紋データとが一致するときには、静止顔画像データが保存されるので、指紋認証に利用可能な指紋データを認証用指紋データとして確実に保存でき、かつ顔画像データを取得する際には、撮影ボタン４８にタッチするのみで、顔画像データの取得と、指紋認証とが可能となり、利用者の負担を増加させることなく、利用者のすりかわりを防止することができる。
【００４９】
次に、図６を用いて本発明の第２の実施の形態である顔画像取得装置１１について説明する。本顔画像取得装置１１は、指紋の変わりに声紋を使用したものである。なお図１に示す第１の具体的な実施の形態である顔画像取得装置１０と同等の要素については同番号を付し、特に必要のない限りその説明は省略する。
【００５０】
本顔画像取得装置１１は、図６に示すように、音声認識機能および声紋取得および声紋認証機能を有するコントローラ９０と、マイク９１とを有している。なお、その他のコントローラ９０の機能は、コントローラ３３と同様である。また、コントローラ９０は、マイク９１に入力された音声から声紋認証に使用可能な声紋を取得可能か否かを判定する機能を備えている。
【００５１】
本発明の動作はすべて、スピーカ２９の音声メッセージに促されて行われる。利用者１４は、料金投入および個人情報を登録後、まず認証用の声紋を登録する。この際には、マイク９１に向かって、例えば「撮影」と発声する。コントローラ９０は、これらの音声に声紋認証に使用可能な声紋が含まれているか否かを判定し、声紋認証に使用可能な声紋が含まれている場合には、これらの音声の声紋を認証用声紋として保存する。声紋認証に利用可能な声紋が含まれていない場合には、利用者へ音声の再入力を促す。
【００５２】
認証用声紋を保存した後、デジタルカメラ２４で撮像している利用者の顔動画像を、ビデオスルーによりＣＲＴディスプレイ２６に表示する。利用者はＣＲＴディスプレイ２６に表示されている自身の顔画像を観察しながら、所望のタイミングでマイク９１へ向かって「撮影」と発声する。この撮影指示動作により、コントローラ９０は、利用者１４の声紋を取得する。またデジタルカメラ２４により顔の静止画像が取得され、顔画像データとしてコントローラ３３のメモリ８４へ保存される。さらに、コントローラ９０は、この撮影指示動作により取得された声紋と、保存されている認証用声紋とを比較し、一致している場合には、その顔画像データをそのまま保存する。一致していない場合には、顔画像データを消去する。このような動作により、顔画像データを３枚保存した後、これらの３枚の顔画像データをＣＲＴディスプレイ２６に表示し、利用者は、音声指示あるいは選択ボタンの押圧により好みの顔画像データを選択する。
【００５３】
以上の説明で明らかなように、本発明の第２の実施の形態である顔画像取得装置１１は、
利用者の声紋を仮に取得し、この声紋が声紋認証に利用可能な情報であるか否かを判定し、声紋認証に利用可能な情報であると判定されたときには、認証用声紋として保存し、また利用者が「撮影」と発声することにより、利用者の声紋が取得され、かつ静止顔画像データが取得され、さらにこの撮影指示動作である発声により取得された声紋と認証用声紋とが一致するときには、静止顔画像データが保存されるので、声紋認証に利用可能な声紋を認証用声紋として確実に保存でき、かつ顔画像データを取得する際には、「撮影」と発生するのみで、顔画像データの取得と、声紋認証とが可能となり、利用者の負担を増加させることなく、利用者のすりかわりを防止することができる。なお、顔画像の撮影は、利用者の発声が終了し、表情が落ち着いた時点で行われることが好ましい。
【００５４】
また、各実施の形態においては、静止顔画像データを取得した後に、生体認証動作を行ったが、これに限定されるものではなく、例えば、静止顔画像データの取得と生体認証動作を平行して同時に行ってもよいし、生体認証動作を短時間で行える場合であれば、生体認証動作を先に行ってもよい。生体認証動作を先に行う場合には、取得した生体情報と認証用生体情報が一致しなければ、静止顔画像データを取得することなく、撮影用の再入力動作へ戻ってもよい。
【００５５】
なお、保存する生体情報は、例えば生体情報が指紋である場合には、指紋の画像であってもよいし、あるいは指紋の特徴点であってもよく、すなわち生体認証に利用可能な形態であれば、いかなる形態の生体情報であってもよい。
【図面の簡単な説明】
【００５６】
【図１】本発明の第１の実施の形態である顔画像取得装置の概略構成図
【図２】図１に示す顔画像取得装置の外観図
【図３】走査入力画面の説明図
【図４】図１に示すデジタルカメラおよびコントローラの機能ブロック図である。
【図５】図１に示す顔画像取得装置の動作を説明するフローチャートである。
【図６】本発明の第２の実施の形態である顔画像取得装置の概略構成図
【符号の説明】
【００５７】
１０、１１    顔画像取得装置
２４    デジタルカメラ
３３、９０    コントローラ
４０、５０    指紋取得部
４１    タッチパネル操作入力画面
４２    カードライタ
５１    記録媒体
７４    監視カメラ
９１    マイク
【図１】
2007093843.tif 000003
【図２】
2007093843.tif 000004
【図３】
2007093843.tif 000005
【図４】
2007093843.tif 000006
【図５】
2007093843.tif 000007
【図６】
2007093843.tif 000008